(57)【要約】【課題】略直方体形状の筐体を備える電子機器において、音源の方向を判別すること。【解決手段】電子機器１は、略直方体形状でなる筐体と、筐体の角部近傍に集音面を有し、音声を集音して音声信号に変換する集音手段１７１〜１７４と、集音手段１７１〜１７４による音声信号に基づいて、音源の方向を判別する方向判別手段１３と、方向判別手段１３により判別された音源の方向を表示手段１４に表示する表示制御手段１３と、を備える。【選択図】図１
2014158101.tif 000002
【特許請求の範囲】
【請求項１】
略直方体形状でなる筐体と、
前記筐体の角部近傍に集音面を有し、音声を集音して音声信号に変換する集音手段と、
前記集音手段による音声信号に基づいて、音源の方向を判別する方向判別手段と、
前記方向判別手段により判別された音源の方向を表示手段に表示する表示制御手段と、
を備えることを特徴とする電子機器。
【請求項２】
請求項１に記載の電子機器において、
前記集音手段は、複数あり、前記筐体の各角部の近傍に、少なくとも１つずつ配置されており、
前記方向判別手段は、前記複数の集音手段による音声信号に基づいて、音源の方向を判別することを特徴とする電子機器。
【請求項３】
請求項２に記載の電子機器において、
前記複数の集音手段は、互いに隣り合う集音手段同士の集音面が互いに略９０度異なるように配置されていることを特徴とする電子機器。
【請求項４】
請求項２または３に記載の電子機器において、
前記複数の集音手段は、所定方向から到来する音声を集音した際の音声信号の音圧レベルが互いに異なるように配置されていることを特徴とする電子機器。
【請求項５】
請求項２〜４のいずれか一項に記載の電子機器において、
集音面が前記筐体の前方または後方に向けられ、音声を集音して音声信号に変換する集音手段をさらに備え、
前記方向判別手段は、前記筐体の角部近傍に集音面を有する集音手段と、前記集音面が前記筐体の前方または後方に向けられた集音手段とによる音声信号に基づいて、音源の方向を判別することを特徴とする電子機器。
【請求項６】
請求項１〜５のいずれか一項に記載の電子機器において、
前記集音手段による音声信号に基づいて、音源の種類を判別する種類判別手段をさらに備え、
前記表示制御手段は、前記種類判別手段により判別された音源の種類を表示手段に表示することを特徴とする電子機器。
【請求項７】
請求項１〜６のいずれか一項に記載の電子機器において、
前記集音手段による音声信号から、所定の周波数帯域の信号成分を除去するフィルタ手段をさらに備え、
前記方向判別手段は、前記フィルタ手段によって前記信号成分が除去された前記音声信号に基づいて、音源の方向を判別することを特徴とする電子機器。
【請求項８】
請求項７に記載の電子機器において、
前記筐体が水中にあるか否かを検出する水中検出手段と、
前記水中検出手段により前記筐体が水中にはないと検出された場合には、前記フィルタ手段による前記音声信号からの前記信号成分の除去を停止させる停止手段と、
をさらに備えることを特徴とする電子機器。
【発明の詳細な説明】
【技術分野】
【０００１】
本発明は、電子機器に関する。
【背景技術】
【０００２】
従来、球体のバッフルの表面に複数のマイクが配置され、当該複数のマイクにより取り込まれた音声信号に基づいて、音源のある方向を特定する音源探査システムが知られている（特許文献１参照）。
【先行技術文献】
【特許文献】
【０００３】
【特許文献１】国際公開ＷＯ２００４／０２１０３１号
【発明の概要】
【発明が解決しようとする課題】
【０００４】
上記従来技術では、略直方体形状の筐体を備える電子機器において、音源の方向を判別することについては考慮されていなかった。
【課題を解決するための手段】
【０００５】
本発明による電子機器は、略直方体形状でなる筐体と、筐体の角部近傍に集音面を有し、音声を集音して音声信号に変換する集音手段と、集音手段による音声信号に基づいて、音源の方向を判別する方向判別手段と、方向判別手段により判別された音源の方向を表示手段に表示する表示制御手段と、を備えることを特徴とする。
【発明の効果】
【０００６】
本発明によれば、略直方体形状の筐体を備える電子機器において、音源の方向を判別することができる。
【図面の簡単な説明】
【０００７】
【図１】本発明の一実施の形態によるデジタルカメラの構成例を説明するブロック図である。
【図２】マイクの配置例を説明する図である。
【図３】音源方向の判別方法を説明する図である。
【図４】表示画面の一例を示す図である。
【図５】音源方向判別モードに関する処理の流れを説明するフローチャートである。
【図６】変形例７におけるマイクの配置例を説明する図である。
【図７】変形例８における直方体形状の一例を説明する図である。
【発明を実施するための形態】
【０００８】
以下、図面を参照して本発明の一実施の形態について説明する。図１は、本実施の形態におけるデジタルカメラ１の構成を示すブロック図である。なお、デジタルカメラ１は、防水機能を有し、水中撮影が可能である。
【０００９】
デジタルカメラ１は、撮像光学系１１と、撮像素子１２と、制御部１３と、表示部１４と、操作部１５と、記憶部１６と、マイクブロック１７と、アンプブロック１８と、ハイパスフィルタ１９と、水中センサ２０とを備える。デジタルカメラ１には、例えばメモリカードなどの記録媒体２１が着脱可能である。
【００１０】
撮像光学系１１は、ズームレンズやフォーカシングレンズを含む複数のレンズ群で構成され、被写体像を撮像素子１２の受光面に結像させる。なお、図１を簡単にするため、撮像光学系１１を単レンズとして図示している。
【００１１】
撮像素子１２は、例えばＣＭＯＳなどのイメージセンサであり、撮像光学系１１により結像した被写体像を撮像して、得られた画像信号を制御部１３へ出力する。
【００１２】
制御部１３は、マイクロプロセッサなどにより構成され、不揮発性の記憶媒体である記憶部１６などに記憶されたプログラムを実行することで、デジタルカメラ１の各部を統括的に制御する。
【００１３】
表示部１４は、デジタルカメラ１の背面に搭載された液晶モニタ（背面モニタ）等で構成され、撮像素子１２からの撮像信号に基づくスルー画像や、記録媒体２１に記録されている画像データに基づく静止画像や動画像、各種設定メニューなどを表示する。
【００１４】
操作部１５は、撮影者によって操作される種々の入力部材、例えば、モード切替ボタン、シャッターボタン、録画ボタン、十字キー、決定ボタンなどにより構成される。操作部１５は、各ボタンが押下操作されると、各操作に応じた操作信号を制御部１３へ出力する。
【００１５】
水中センサ２０は、デジタルカメラ１の筐体が水中にある状態か否かを検出するセンサであり、検出結果を示す信号を制御部１３に出力する。なお、水中センサ２０としては公知のセンサを用いればよい。公知の水中センサとしては、例えば、デジタルカメラ１の筐体にかかる圧力やデジタルカメラ１の筐体の周囲の導電性に基づいて、デジタルカメラ１の筐体が水中にある状態か否かを検出するセンサが知られている。
【００１６】
マイクブロック１７は、６つのエレクトリック・コンデンサ・マイクロホン（以下、単にマイクと呼ぶ）である第１マイク１７１〜第６マイク１７６から構成される。なお、第１マイク１７１〜第６マイク１７６は、それぞれ、無指向性のマイクである。アンプブロック１８は、第１アンプ１８１〜第６アンプ１８６の６つのアンプから構成される。第１アンプ１８１〜第６アンプ１８６は、それぞれ、第１マイク１７１〜第６マイク１７６のそれぞれにより集音されたデジタルカメラ１周辺の音声に関するアナログ音声信号を増幅して、ハイパスフィルタ１９に出力する。ハイパスフィルタ１９は、入力されたアナログ音声信号から例えば５００Ｈｚ以下の信号成分を除去して、制御部１３に出力する。これにより、入力された音声信号から、水中における撮影者の呼吸音を低減させることができる。なお、第１マイク１７１〜第６マイク１７６で集音される周波数の上限が例えば１５ｋＨｚ程度であるとすると、制御部１３には、５００Ｈｚ〜１５ｋＨｚ程度の周波数帯域の音声信号が入力されることとなる。
【００１７】
第５マイク１７５および第６マイク１７６は、音声データ記録用のマイクである。第５マイク１７５はＲチャンネル用であり、第６マイク１７６はＬチャンネル用である。制御部１３は、第５マイク１７５および第６マイク１７６から、第５アンプ１８５および第６アンプ１８６、ハイパスフィルタ１９を介して出力されたアナログ音声信号を、記録用の音声データに変換する。
【００１８】
また、本実施形態のデジタルカメラ１では、音源のある方向を判別する音源方向判別モードが設けられている。第１マイク１７１〜第４マイク１７４は、音源方向を判別するためのマイクである。第５マイク１７５および第６マイク１７６は、音声データ記録用のマイクと音源方向を判別するためのマイクとを兼ねている。音源方向判別モードでは、音源（例えば、人やイルカ・クジラ、船など）の方向を判別して表示部１４に表示するので、撮影対象がどの方向にいるのかを撮影者に報知することができる。したがって、音源方向判別モードは、撮影対象がどこにいるのかがわかりにくい場合（例えば水中撮影など）に特に有用である。以下、この音源方向判別モードに関して詳しく説明する。
【００１９】
まず、図２を用いて、第１マイク１７１〜第６マイク１７６の配置を説明する。図２（ａ）は、デジタルカメラ１の筐体２を背面方向（すなわち撮影者側）から見た図であり、図２（ｂ）は、デジタルカメラ１の筐体２を側面方向から見た図である。筐体２は直方体形状であり、筐体２の背面には、表示部１４が設けられている。
【００２０】
第１マイク１７１〜第４マイク１７４は、それぞれ、集音面が筐体２の各角部（４隅）の近傍となるように配置されている。具体的に、撮影者側から見て、第１マイク１７１は、筐体２の右上隅近傍に配置され、集音面が右上方向に向けられている。第２マイク１７２は、筐体２の左上隅近傍に配置され、集音面が左上方向に向けられている。第３マイク１７３は、筐体２の左下隅近傍に配置され、集音面が左下方向に向けられている。第４マイク１７４は、筐体２の右下隅近傍に配置され、集音面が右下方向に向けられている。すなわち、第１マイク１７１〜第４マイク１７４は、互いに隣り合うマイクにおいて、集音面が互いに略９０度異なる方向に向けられて配置されている。
【００２１】
このような配置により、第１マイク１７１〜第４マイク１７４による音声信号に基づいて、音源の方向が、上方、右上方、右方、右下方、下方、左下方、左方、および左上方の８方向のいずれであるかを判別することができる。
【００２２】
また、第５マイク１７５および第６マイク１７６は、筐体２の前面の上部に配置され、集音面が前方に向けられている。Ｒチャンネル用の第５マイク１７５は筐体２の中央よりも右側に配置され、Ｌチャンネル用の第６マイク１７６は筐体２の中央よりも左側に配置される。なお、第１マイク１７１〜第４マイク１７４は、第５マイク１７５および第６マイク１７６よりも後ろ側に配置され、好ましくは、筐体２の中央よりも後ろ側に配置される。
【００２３】
このような配置により、第１マイク１７１〜第６マイク１７６による音声信号に基づいて、音源の方向が、上記８方向に前方および後方を加えた１０方向のいずれであるかを判別することができる。
【００２４】
なお、第１マイク１７１および第２マイク１７２間の距離は、第１マイク１７１または第２マイク１７２の集音面が向けられた方向から到来する音声を集音した際の音声信号の音圧レベルが、第１マイク１７１と第２マイク１７２とでそれぞれ異なるような距離に設定されている。同様に、第１マイク１７１〜第６マイク１７６における各マイク間の距離について、第１マイク１７１〜第６マイク１７６のいずれかの集音面が向けられた方向から到来する音声を集音した際の音声信号の音圧レベルがそれぞれ異なるような距離に設定されている。これにより、第１マイク１７１〜第６マイク１７６による音声信号の音圧レベルに基づいて、音源の方向が上記１０方向のいずれかを判別することができるようになっている。
【００２５】
次に、第１マイク１７１〜第６マイク１７６による音声信号に基づいて音源の方向を判別する方法について、図３を用いて説明する。具体的に、制御部１３は、第５マイク１７５および第６マイク１７６による音声信号の音圧レベルがその他のマイクよりも大きい場合、音源の方向が前方であると判別する。
【００２６】
また制御部１３は、第１マイク１７１と第４マイク１７４または第５マイク１７５とによる音声信号の音圧レベルがその他のマイクよりも大きく、且つ、第１マイク１７１による音声信号の音圧レベルが第４マイク１７４または第５マイク１７５よりも大きい場合、音源の方向が右上方であると判別する。
【００２７】
また制御部１３は、第１マイク１７１および第４マイク１７４による音声信号の音圧レベルがその他のマイクよりも大きく、且つ、第４マイク１７４による音声信号の音圧レベルが第１マイク１７１よりも大きい場合、音源の方向が右下方であると判別する。
【００２８】
また制御部１３は、第２マイク１７２と第３マイク１７３または第６マイク１７６とによる音声信号の音圧レベルがその他のマイクよりも大きく、且つ、第２マイク１７２による音声信号の音圧レベルが第３マイク１７３または第６マイク１７６よりも大きい場合、音源の方向が左上方であると判別する。
【００２９】
また制御部１３は、第２マイク１７２および第３マイク１７３による音声信号の音圧レベルがその他のマイクよりも大きく、且つ、第３マイク１７３による音声信号の音圧レベルが第２マイク１７２よりも大きい場合、音源の方向が左下方であると判別する。
【００３０】
また制御部１３は、第１マイク１７１、第５マイク１７５、第２マイク１７２、および第６マイク１７６による音声信号の音圧レベルがその他のマイクよりも大きく、且つ、第１マイク１７１による音声信号の音圧レベルが第５マイク１７５よりも大きく、且つ第２マイク１７２による音声信号の音圧レベルが第６マイク１７６よりも大きい場合、音源の方向が上方であると判別する。
【００３１】
また制御部１３は、第３マイク１７３および第４マイク１７４による音声信号の音圧レベルがその他のマイクよりも大きく、且つ、第３マイク１７３と第４マイク１７４とで音声信号の音圧レベルが近似している場合、音源の方向が下方であると判別する。
【００３２】
また制御部１３は、第１マイク１７１および第４マイク１７４による音声信号の音圧レベルがその他のマイクよりも大きく、且つ、第１マイク１７１と第４マイク１７４とで音声信号の音圧レベルが近似している場合、音源の方向が右方であると判別する。
【００３３】
また制御部１３は、第２マイク１７２および第３マイク１７３による音声信号の音圧レベルがその他のマイクよりも大きく、且つ、第２マイク１７２と第３マイク１７３とで音声信号の音圧レベルが近似している場合、音源の方向が左方であると判別する。
【００３４】
また制御部１３は、第１マイク１７１〜第４マイク１７４による音声信号の音圧レベルがその他のマイクよりも大きく、且つ、第１マイク１７１と第４マイク１７４とで音声信号の音圧レベルが近似しており、且つ、第２マイク１７２と第３マイク１７３とで音声信号の音圧レベルが近似している場合、音源の方向が後方であると判別する。
【００３５】
以上のようにして、制御部１３は、音源の方向を判別すると、図４に示すように、判別した音源の方向を示す矢印を、表示部１４に表示させる。具体的に、制御部１３は、音源の方向が上方、右上方、右方、右下方、下方、左下方、左方または左上方であると判別した場合には、表示画面中央よりも上方、右上方、右方、右下方、下方、左下方、左方または左上方に、上方向、右上方向、右方向、右下方向、下方向、左下方向、左方向または左上方向の矢印を表示させる。また、制御部１３は、音源の方向が後方であると判別した場合には、表示画面中央に下方向の矢印を表示させることで、音源の方向が後方であることを示す。
【００３６】
なお、制御部１３は、前方については撮影者自身で確認できるため、音源の方向が前方であると判別した場合には、音源の方向を示す矢印を表示させない。これにより、撮影者が撮影を行う際には、音源の方向を示す矢印によってスルー画像が見にくくなるのを防止することができる。
【００３７】
次に、上述した音源方向判別モードに関する処理の流れを、図５に示すフローチャートを用いて説明する。制御部１３は、操作部１５の操作によって撮影モードに設定されると、撮像信号に基づくスルー画像を表示部１４に表示させる処理を開始すると共に、図５に示す処理を開始する。
【００３８】
ステップＳ１において、制御部１３は、音源方向判別モードに設定されているか否かを判定する。なお、音源方向判別モードの設定については、水中センサ２０によってデジタルカメラ１の筐体２が水中であると判別された場合に自動で設定するようにしてもよいし、撮影者が操作部１５の操作によって所望のタイミングで設定できるようにしてもよい。制御部１３は、音源方向判別モードに設定されていない間はステップＳ１の処理を繰り返し、音源方向判別モードに設定されるとステップＳ１を肯定判定してステップＳ２へ進む。
【００３９】
ステップＳ２において、制御部１３は、第１マイク１７１〜第６マイク１７６から、第１アンプ１８１〜第６アンプ１８６、ハイパスフィルタ１９を介して出力されたアナログ音声信号に対して、Ａ／Ｄ変換を行ってデジタル音声信号に変換し、ステップＳ３へ進む。
【００４０】
ステップＳ３において、制御部１３は、ステップＳ２で変換した、第１マイク１７１〜第６マイク１７６によるデジタル音声信号に基づいて、上述した方法を用いて音源の方向を判別して、ステップＳ４へ進む。
【００４１】
ステップＳ４において、制御部１３は、図４で示したように、ステップＳ３で判別した音源の方向を、スルー画像と共に表示部１４に表示させて、ステップＳ１へ戻る。
【００４２】
このような処理により、音源方向判別モードでは、水中撮影において、撮影者以外の人物が声を発した場合には、その人物のいる方向を撮影者に報知することができる。また、撮影対象となるイルカやクジラなどの動物が鳴き声を発した場合には、その動物のいる方向を撮影者に報知することができる。したがって、撮影者は、撮影対象がどこにいるかわかりにくい水中であっても、デジタルカメラ１の表示部１４に表示された音源の方向を確認して、その方向に移動することで、撮影対象の元にたどり着くことができ、撮影を行うことができる。
【００４３】
以上説明した実施形態によれば、次の作用効果が得られる。
（１）デジタルカメラ１は、略直方体形状でなる筐体２と、筐体２の角部近傍に集音面を有し、音声を集音して音声信号に変換する第１マイク１７１〜第４マイク１７４と、第１マイク１７１〜第４マイク１７４による音声信号に基づいて、音源の方向を判別する制御部１３と、判別した音源の方向を表示部１４に表示する制御部１３と、を備える。これにより、略直方体形状の筐体２を備えるデジタルカメラ１において、音源の方向を判別することができ、音源の方向を撮影者に報知することができる。
【００４４】
（２）上記（１）のデジタルカメラ１において、第１マイク１７１〜第４マイク１７４は、筐体２の各角部の近傍に１つずつ配置されるようにした。また、第１マイク１７１〜第４マイク１７４は、互いに隣り合うマイク同士の集音面が互いに略９０度異なるように配置されるようにした。これにより、４つのマイク（第１マイク１７１〜第４マイク１７４）を用いるだけで、音源の方向について、上方、右上方、右方、右下方、下方、左下方、左方および左上方の８方向を判別することができる。
【００４５】
（３）上記（２）のデジタルカメラ１において、第１マイク１７１〜第４マイク１７４は、所定方向から到来する音声を集音した際の音声信号の音圧レベルが互いに異なるように配置されるようにした。これにより、４つのマイク（第１マイク１７１〜第４マイク１７４）による音声信号の音圧レベルに基づいて、音源の方向を判別することができる。
【００４６】
（４）上記（１）〜（３）のデジタルカメラ１において、集音面が筐体２の前方に向けられ、音声を集音して音声信号に変換する第５マイク１７５および第６マイク１７６をさらに備え、制御部１３は、第１マイク１７１〜第６マイク１７６による音声信号に基づいて、音源の方向を判別するようにした。これにより、６つのマイク（第１マイク１７１〜第６マイク１７６）を用いるだけで、音源の方向について、上記８方向に前方および後方を加えた１０方向を判別することができる。
【００４７】
（５）上記（１）〜（４）のデジタルカメラ１において、第１マイク１７１〜第６マイク１７６による音声信号から所定の周波数帯域（５００Ｈｚ以下）の信号成分を除去するハイパスフィルタ１９をさらに備え、制御部１３は、ハイパスフィルタ１９によって上記信号成分が除去された後の上記音声信号に基づいて、音源の方向を判別するようにした。これにより、上記音声信号において、水中での撮影者の呼吸音を低減して撮影対象物が発する音を強調できるので、撮影対象物の方向を精度よく判別することができる。
【００４８】
（変形例１）
上述した実施の形態では、主に水中撮影の際に音源の方向を判別する例について説明したが、水中ではない撮影（陸上撮影）の際に、音源の方向を判別するようにしてもよい。また、上述した実施の形態のデジタルカメラ１において、ハイパスフィルタ１９は水中での撮影者の呼吸音を低減させるために設けられている。そのため、水中センサ２０によってデジタルカメラ１の筐体２が水中にはない（すなわち陸上にある）と検出された場合には、制御部１３は、ハイパスフィルタ１９による５００Ｈｚ以下の信号成分の除去を停止させ、５００Ｈｚ以下の信号成分が除去されていない音声信号に基づいて音源の方向を判別するようにしてもよい。実際上、人間の声の周波数帯域は、５００Ｈｚ以下も含んでいるため、陸上では、ハイパスフィルタ１９の動作を停止させることで、音源である人間の方向を精度よく判別することができる。
【００４９】
（変形例２）
制御部１３は、第１マイク１７１〜第６マイク１７６による音声信号に基づいて、音源の方向に加え、音源の種類を判別するようにしてもよい。なお、音声信号から音声の種類を判別する方法については、公知の方法を用いるようにすればよい。例えば、様々な音声（例えば、人の声、イルカやクジラの鳴き声、船のスクリュー音など）の特徴データ（例えば波形のパターンなど）が登録された特徴データベースを記憶部１６に予め格納しておく。制御部１３は、第１マイク１７１〜第６マイク１７６による音声信号から特徴データを抽出し、抽出した特徴データと特徴データベース内に登録されている特徴データとを比較し、抽出した特徴データに最も類似する特徴データを検索する。制御部１３は、この検索結果得られた特徴データに対応する音源の種類を、第１マイク１７１〜第６マイク１７６による音声信号における音源の種類として判別する。
【００５０】
また制御部１３は、判別した音源の種類を示す情報（例えば、アイコンやテキストなど）を、上述した音源の方向の矢印と共に、表示部１４に表示するようにしてもよい。これにより、撮影者に、音源の方向および種類を報知することができる。
【００５１】
なお、特徴データベースには、予め登録された音声の特徴データだけでなく、撮影者が所望する音声（例えば自分の子供の声やペットの声など）の特徴データを新たに登録できるようにしてもよい。
【００５２】
（変形例３）
上述した実施の形態では、音源の方向が前方であると判別した場合にはその旨を報知しない例について説明したが、報知するようにしてもよい。
【００５３】
（変形例４）
上述した実施の形態では、第１マイク１７１〜第６マイク１７６による音声信号の音圧レベルに基づいて音源の方向を判別する例について説明したが、これに限らなくてよく、この他の方法で音源の方向を判別するようにしてもよい。例えば、第１マイク１７１〜第６マイク１７６による音声信号の位相特性に基づいて、音源の方向を判別するようにしてもよい。
【００５４】
（変形例５）
上述した実施の形態では、ハイパスフィルタ１９により、第１マイク１７１〜第６マイク１７６による音声信号から、水中での撮影者の呼吸音に対応する周波数帯域の信号成分を除去する例について説明したが、これに限らなくてよく、この他の周波数帯域の成分を除去するようにしてもよい。例えば、撮影者が撮影対象をイルカと設定した場合には、第１マイク１７１〜第６マイク１７６による音声信号から、イルカの鳴き声に対応する周波数帯域の信号成分のみを残し、この他の周波数帯域の信号成分を除去するようにしてもよい。
【００５５】
（変形例６）
上述した実施の形態では、音源の方向を判別するために、第１マイク１７１〜第６マイク１７６の６つのマイクを設ける例について説明したが、マイクの数はこれに限らなくてもよく、少なくとも１つ以上設ければよい。なお、上述した実施の形態のように、少なくとも４つのマイク（第１マイク１７１〜第４マイク１７４）を、筐体２の各角部の近傍に少なくとも１つずつ配置するようにすれば、音源の方向について、上記８方向を判別することができる。また、これら４つのマイクに加え、筐体２の前方または後方に集音面が向けられたマイクを少なくとも１つ配置するようにすれば、音源の方向について、上記８方向に加えて、前方および後方を加えた１０方向を判別することができる。
【００５６】
（変形例７）
上述した実施の形態では、第１マイク１７１〜第４マイク１７４の集音面が右上、左上、左下、右下にそれぞれ向けられている例について説明したが、これに限らなくてよい。例えば、図６に示すように、第１マイク１７１〜第４マイク１７４の集音面が右、上、左、下にそれぞれ向けられているようにしてもよい。このような配置によっても、音源の方向が、上記８方向のいずれかを判別することができる。
【００５７】
（変形例８）
また、本発明において略直方体形状とは、図２に示した形状に限らなくてもよく、例えば、図７（ａ）に示すように各角部（４隅）が丸みを帯びた形状や、図７（ｂ）に示すように各角部（４隅）において面取り部が形成されたような形状なども含まれる。
【００５８】
（変形例９）
上述した実施の形態では、デジタルカメラ１に本発明を適用する例について説明したが、例えば携帯電話機や携帯端末など、この他の電子機器に本発明を適用するようにしてもよい。
【００５９】
以上の説明はあくまで一例であり、上記の実施形態の構成に何ら限定されるものではない。また、上記実施形態に各変形例の構成を適宜組み合わせてもかまわない。
【符号の説明】
【００６０】
１…デジタルカメラ、２…筐体、１１…撮像光学系、１２…撮像素子、１３…制御部、１４…表示部、１７１〜１７６…第１マイク〜第６マイク、１９…ハイパスフィルタ
【図１】
2014158101.tif 000003
【図２】
2014158101.tif 000004
【図３】
2014158101.tif 000005
【図４】
2014158101.tif 000006
【図５】
2014158101.tif 000007
【図６】
2014158101.tif 000008
【図７】
2014158101.tif 000009